(57)【要約】【課題】１種類の端子を、極力追加の部品を要することなく、回り止め用の受け部の位置が異なる複数種類の接続相手に適用できるようにすること。【解決手段】連れ回り防止構造付端子１は、電線９に接続可能な電線接続部１２，１３と、固定用のネジ７を挿入可能な１つのネジ用孔１１０が形成された接点部１１とを備える。さらに、接点部１１には、回り止め用の突起した受け部８２を嵌め入れ可能な複数の回り止め用孔１４がネジ用孔１１０と同心の一の円の円周上に等間隔で形成されている。【選択図】図１
2015095381.tif 000002
【特許請求の範囲】
【請求項１】
電線に接続可能な電線接続部と、
固定用のネジを挿入可能な１つのネジ用孔が形成されており、さらに回り止め用の突起した受け部を嵌め入れ可能な複数の回り止め用孔が前記ネジ用孔と同心の一の円の円周上に等間隔で形成された接点部と、を備える連れ回り防止構造付端子。
【請求項２】
請求項１に記載の連れ回り防止構造付端子であって、
前記回り止め用孔は、前記接点部の外縁部に形成され外縁側が開口した欠け状孔を含む、連れ回り防止構造付端子。
【請求項３】
請求項２に記載の連れ回り防止構造付端子であって、
前記欠け状孔において外縁側の前記開口の幅は他の部分の幅よりも狭く形成されている、連れ回り防止構造付端子。
【請求項４】
請求項１から請求項３のいずれか１項に記載の連れ回り防止構造付端子であって、
前記接点部に重なっており前記ネジ用孔に連通して前記固定用のネジを挿入可能な連通孔及び複数の前記回り止め用孔のうちのいずれかに嵌め入れられた嵌合突起部が形成された基部と前記基部から前記接点部の外側へ張り出して形成された張出部とを有する回り止め付加部材をさらに備える、連れ回り防止構造付端子。
【発明の詳細な説明】
【技術分野】
【０００１】
本発明は、固定用ネジに連れ回りすることを防ぐ構造を備えた端子に関する。
【背景技術】
【０００２】
自動車などの車両において、端子付電線における端子の接点部が、端子台又は基準電位体である車両ボディなどの接続相手に対してネジで固定される場合がある。この場合、端子付電線の端子は、電線に接続された電線接続部と、固定用のネジを挿入可能な１つのネジ用孔が形成された接点部とを有する。
【０００３】
接点部のネジ用孔に通される固定用のネジは、例えば、接続相手のネジ穴に固定されるボルト或いは接続相手に設けられたスタッドボルトなどである。前者の場合、ボルトのヘッド部が回転支ながら端子の接点部に接触し、後者の場合、スタッドボルトが通されるナットが回転しながら端子の接点部に接触する。
【０００４】
端子付電線の端子は、端子固定用のネジ留め部材（ボルト又はナット）に対して連れ回りすることを防止する構造を有する場合がある。以下、そのような端子のことを連れ回り防止構造付端子と称する。
【０００５】
特許文献１が示すように、従来の連れ回り防止構造付端子は、接点部から外側へ張り出して形成された張出部（係止片）を有している。この張出部が、端子の接続相手に形成された回り止め用の受け部に引っ掛かることにより、端子の連れ回りが防がれる。
【０００６】
特許文献１が示す例では、張出部の先端における接点部の下面側へ垂下した部分が、端子の接続相手の穴部（溝部）に引っ掛かる。張出部の先端における接点部の下面側へ垂下した部分が、端子の接続相手である端子台の縁部に引っ掛かる場合もある。また、張出部が、端子の接続相手の突起部に引っ掛かる場合もある。
【０００７】
一般に、回り止め用の張出部は、端子の接点部に形成されている。この場合、端子の接続相手における回り止め用の受け部の位置に応じて、それぞれ張出部の位置が異なる複数の種類の端子が用意される必要がある。
【０００８】
また、特許文献１は、回り止め用の張出部を有する回り止め金具が、汎用の端子の接点部に重ね合わせて取り付けられた構造を、連れ回り防止構造として提案している。
【先行技術文献】
【特許文献】
【０００９】
【特許文献１】特開２０００−２０８１７２号公報
【発明の概要】
【発明が解決しようとする課題】
【００１０】
ところで、１種類の端子を、極力追加の部品を要することなく、回り止め用の受け部の位置が異なる複数種類の接続相手に適用できることが望ましい。
【００１１】
本発明は、連れ回り防止構造付端子において、１種類の端子を、極力追加の部品を要することなく、回り止め用の受け部の位置が異なる複数種類の接続相手に適用できるようにすることを目的とする。
【課題を解決するための手段】
【００１２】
第１態様に係る連れ回り防止構造付端子は、電線に接続可能な電線接続部と、固定用のネジを挿入可能な１つのネジ用孔が形成された接点部とを備える。さらに、接点部には、回り止め用の突起した受け部を嵌め入れ可能な複数の回り止め用孔が上記ネジ用孔と同心の一の円の円周上に等間隔で形成されている。
【００１３】
第２態様に係る連れ回り防止構造付端子は、第１態様に係る連れ回り防止構造付端子の一態様である。第２態様に係る連れ回り防止構造付端子において、上記回り止め用孔は、上記接点部の外縁部に形成され外縁側が開口した欠け状孔を含む。
【００１４】
第３態様に係る連れ回り防止構造付端子は、第２態様に係る連れ回り防止構造付端子の一態様である。第３態様に係る連れ回り防止構造付端子において、上記欠け状孔において外縁側の上記開口の幅は他の部分の幅よりも狭く形成されている。
【００１５】
第４態様に係る連れ回り防止構造付端子は、第１態様から第３態様のいずれか１つに係る連れ回り防止構造付端子の一態様である。第４態様に係る連れ回り防止構造付端子は、回り止め付加部材をさらに備える。回り止め付加部材は、上記接点部に重なった基部とその基部から上記接点部の外側へ張り出して形成された張出部とを有する。回り止め部材の基部には、上記ネジ用孔に連通して上記固定用のネジを挿入可能な連通孔と、複数の上記回り止め用孔のうちのいずれかに嵌め入れられた嵌合突起部とが形成されている。
【発明の効果】
【００１６】
上記の各態様において、端子の接点部には、回り止め用の突起した受け部を嵌め入れ可能な複数の回り止め用孔が、接点部のネジ用孔と同心の一の円の円周上に等間隔で形成されている。このような構造を有する連れ回り防止構造付端子は、突起状の受け部が固定用のネジの軸心の位置に対して等距離の位置に存在する場合において、受け部の位置が異なる複数種類の接続相手に適用可能である。
【００１７】
また、第２態様において、回り止め用孔は、接点部の外縁部に形成され外縁側が開口した欠け状孔を含む。このような欠け状孔が採用されれば、接点部の輪郭形状を突起した受け部に接触可能にしながら極力小さくすることができる。
【００１８】
また、第３態様においては、欠け状孔（回り止め用孔）において外縁側の開口の幅が他の部分の幅よりも狭く形成されている。この場合、欠け状孔の外縁側の開口の幅を突起した受け部の幅よりも小さくすることができる。これにより、端子が端子台等の接続相手の上に置かれてからネジで固定される前に、突起状の受け部が欠け状孔（回り止め用孔）から開口を通じて外れてしまうことが防がれる。
【００１９】
また、第４態様においては、端子の回り止め用孔が、回り止め付加部材を端子の接点部に留める留め具として機能する。回り止め付加部材は、嵌め合い構造によって接点部に留まる基部と、接点部の外側へ張り出した張出部とを有している。回り止め用の受け部が、端子の接続相手に設けられた穴部もしくは突起部、或いは端子台の縁部などである場合に、第４態様は有効である。
【００２０】
さらに、第４態様によれば、回り止め付加部材の嵌合突起部は、複数の回り止め用孔のうちのいずれかに選択的に嵌め入れ可能である。即ち、嵌合突起部の嵌め入れ先（回り止め用孔）の選択により、端子の接点部から張出部が張り出す方向を選択できる。従って、第４態様に係る連れ回り防止構造付端子は、張出部が引っ掛かる受け部の位置が異なる複数種類の接続相手に適用可能である。
【図面の簡単な説明】
【００２１】
【図１】第１実施形態に係る連れ回り防止構造付端子１の斜視図である。
【図２】連れ回り防止構造付端子１を備える端子付電線の平面図及び側面図である。
【図３】連れ回り防止構造付端子１に取り付け可能な回り止め付加部材２の底面図及び側面図である。
【図４】第２実施形態に係る連れ回り防止構造付端子３の平面図である。
【図５】連れ回り防止構造付端子３を備える端子付電線の側面図である。
【図６】応用例に係る連れ回り防止構造付端子１Ａの平面図である。
【発明を実施するための形態】
【００２２】
以下、添付の図面を参照しながら、実施形態について説明する。以下の実施形態は、本発明を具体化した一例であり、本発明の技術的範囲を限定する事例ではない。
【００２３】
＜第１実施形態＞
まず、図１，２を参照しつつ、第１実施形態に係る連れ回り防止構造付端子１の構成について説明する。以下の説明において、連れ回り防止構造付端子１のことを単に端子１と称する。
【００２４】
端子１は、金属の板材の折り曲げ加工によって得られる。また、端子１を構成する金属の板材は、メッキが形成された板状の金属の母材に対する打ち抜き加工によって得られる。従って、端子１を構成する金属の板材は、基材と、その基材の表面に形成されたメッキとにより構成されている。
【００２５】
例えば、端子１の基材は、銅又は銅の合金など、銅を主成分とする金属材料からなる部材である。この場合、メッキを含む端子１全体は、銅を主成分とする金属材料からなる。一方、メッキは、例えば、錫（Ｓｎ）もしくは錫に銀（Ａｇ）、銅（Ｃｕ）、ビスマス（Ｂｉ）などが添加された錫合金など、錫を主成分とする金属材料からなる部材である。
【００２６】
図２が示すように、端子１は、絶縁電線９の端部に接続される。絶縁電線９及びその端部に接続された端子１は、端子付電線１０を構成している。端子付電線１０は、例えば、自動車などの車両における筐体接地用の電線、又はバッテリとインバータ回路とを繋ぐ電力ケーブルなどである。
【００２７】
なお、図２（ａ）は端子付電線１０の端部の平面図であり、図２（ｂ）は端子付電線１０の端部の側面図である。
【００２８】
絶縁電線９は、長尺な導体である芯線９１と、その芯線９１の周囲を覆う絶縁体である絶縁被覆９２を有する電線である。通常、芯線９１は、細い導体からなる複数の素線が撚り合わされた撚り線である。しかしながら、芯線９１が単線であることも考えられる。
【００２９】
絶縁電線９の端部は、予め一定の長さの分の芯線９１の周囲から絶縁被覆９２が剥がれた状態、即ち、一定の長さ分の芯線９１が絶縁被覆９２から伸び出た状態に加工されている。
【００３０】
図１が示すように、端子１は、接点部１１、芯線接続部１２及び被覆圧着部１３を有している。接点部１１は、接続相手に直接接続される部分である。接点部１１の詳細は後述する。
【００３１】
芯線接続部１２及び被覆圧着部１３は、電線に接続可能な電線接続部の一例である。芯線接続部１２は、絶縁電線９の芯線９１が接続される部分である。被覆圧着部１３は、絶縁電線９の端部における絶縁被覆９２の部分に接続される部分である。
【００３２】
本実施形態では、芯線接続部１２は、絶縁電線９の芯線９１の先端部が超音波溶接などの溶接によって接続される平板状の部分である。また、被覆圧着部１３は、絶縁電線９の端部における絶縁被覆９２の部分を一方から支える底板部１３１と、底板部１３１の両側から起立した一対のかしめ片１３２とを有している。
【００３３】
図２が示すように、一対のかしめ片１３２が、底板部１３１に支えられた絶縁電線９の絶縁被覆９２の部分にかしめられることにより、被覆圧着部１３は絶縁電線９の絶縁被覆９２の部分に圧着される。
【００３４】
接点部１１は、平板状に形成されている。接点部１１には、固定用のネジ７を挿入可能な１つのネジ用孔１１０が形成されている。図１が示す例では、ネジ用孔１１０は円形の貫通孔である。なお、ネジ用孔１１０が、円以外の形状、例えば、正多角形状であることなども考えられなくはない。
【００３５】
図１において、固定用のネジ７及び接点部１１の接続相手８が仮想線（二点鎖線）で描かれている。接点部１１の接続相手８は、例えば、端子台又は筐体接地の基準電位体である車両ボディなどである。
【００３６】
図１に示されるネジ７は、接続相手８に形成されたネジ穴８１に固定されるボルトである。ネジ７が、接続相手８において起立して形成されたスタッドボルトであることも考えられる。
【００３７】
固定用のネジ７が図１に示されるようなボルトである場合、接点部１１が、回転するボルトのヘッド部と接触し、ボルトのヘッド部から接点部１１に対して回転トルクが作用する。なお、固定用のネジ７が不図示のスタッドボルトである場合、接点部１１が、スタッドボルトが通される不図示のナットと接触し、そのナットから接点部１１に対して回転トルクが作用する。ボルト及びナットの各々は、端子固定用のネジ留め部材の一例である。
【００３８】
接続相手８におけるネジ穴８１もしくはスタッドボルトの近傍には、回り止め用の突起した受け部８２が形成されている。受け部８２は、端子１が接続相手８に固定される際に端子１の一部に引っ掛かることにより、端子１がネジ留め部材（ボルト又はナット）に対して連れ回りすることを防ぐ。
【００３９】
接点部１１には、ネジ用孔１１０の他に複数の回り止め用孔１４が形成されている。回り止め用孔１４は、回り止め用の突起した受け部８２を嵌め入れ可能な孔である。接点部１１がネジ留め部材に対して連れ回りしようとすると、接点部１１における回り止め用孔１４の縁部が受け部８２に引っ掛かる。そのため、接点部１１はネジ留め部材に対して連れ回りしない。
【００４０】
回り止め用孔１４各々は、ネジ用孔１１０と同心の一の円１００の周上に等間隔で形成されている。図１，２が示す例では、４つの回り止め用孔１４が、ネジ用孔１１０の中心を中心とする１つの円１００の周上に、中心角が９０度を成すピッチで形成されている。
【００４１】
また、本実施形態において、複数の回り止め用孔１４の一部は、接点部１１の外縁部に形成され外縁側が開口した欠け状孔１４ｘである。欠け状孔１４ｘは、接点部１１の外縁からえぐれて形成された孔である。
【００４２】
複数の回り止め用孔１４の残りの一部は、接点部１１における芯線接続部１２寄りの位置に形成され、外縁に開口の無い孔である。この孔のことを欠け無し孔１４ｙと称する。本実施形態において、回り止め用孔１４は、３つの欠け状孔１４ｘ及び１つの欠け無し孔１４ｙを含む。
【００４３】
３つの欠け状孔１４ｘは、端子１の接点部１１における先端の縁部と左右両側の縁部各々とに形成されている。
【００４４】
欠け状孔１４ｘ各々において、外縁側の開口の幅は他の部分の幅よりも狭く形成されている。本実施形態においては、欠け状孔１４ｘ各々の輪郭形状は、短い方の底辺が接点部１１の外縁側に位置する台形である。
【００４５】
＜効果＞
以上に示した構造を有する端子１は、突起状の受け部８２が固定用のネジ７の軸心の位置に対して等距離の位置に存在する場合において、受け部８２の位置が異なる複数種類の接続相手８に適用可能である。
【００４６】
図１が示す例においては、端子１は、ネジ穴８１の中心から見て受け部８２が９０度ずつ異なる方向に位置する４種類の接続相手８に対して適用可能である。
【００４７】
また、端子１において、回り止め用孔１４が接点部１１の外縁部に形成された欠け状孔１４ｘを含む。この場合、接点部１１の輪郭形状を、接続相手８の突起した受け部８２に接触可能にしながら極力小さくすることができる。
【００４８】
また、欠け状孔１４ｘ（回り止め用孔１４）において、外縁側の開口の幅が他の部分の幅よりも狭く形成されている。この場合、欠け状孔１４ｘの外縁側の開口の幅を突起した受け部８２の幅よりも小さくすることができる。これにより、端子１が端子台等の接続相手８の上に置かれてからネジ７で固定される前に、突起状の受け部８２が欠け状孔１４ｘから開口を通じて外れてしまうことが防がれる。
【００４９】
＜第２実施形態＞
次に、図３〜５を参照しつつ、第２実施形態に係る連れ回り防止構造付端子３について説明する。連れ回り防止構造付端子３は、図１〜３に示された連れ回り防止構造付端子１と比較して、回り止め付加部材２が追加された構成を有している。以下の説明において、連れ回り防止構造付端子３のことを単に端子３と称する。
【００５０】
図３（ａ）は連れ回り防止構造付端子１に取り付け可能な回り止め付加部材２の底面図、図３（ｂ）は回り止め付加部材２の側面図である。図４（ａ）〜図４（ｃ）は、回り止め付加部材２が装着された連れ回り防止構造付端子３の平面図である。図５は、連れ回り防止構造付端子３を備える端子付電線１０Ａの端部の側面図である。図３〜５において、図１，２に示される構成要素と同じ構成要素は、同じ参照符号が付されている。
【００５１】
回り止め付加部材２は、図１，２に示された端子１に対して装着可能な部材である。端子１及びその接点部１１に取り付けられた回り止め付加部材２が端子３を構成している。
【００５２】
回り止め部材２は、金属部材などの導電性の部材である。例えば、回り止め部材２が、銅又は銅の合金など、銅を主成分とする金属材料からなる部材であることが考えられる。また、回り止め部材２が、端子１と同様に表面にメッキが形成された部材であることも考えられる。
【００５３】
端子１に取り付けられた回り止め付加部材２は、端子１の接点部１１に重なった基部２１とその基部２１から接点部１１の外側へ張り出して形成された張出部２２とを有する。
【００５４】
基部２１は、端子１の接点部１１に重なる板状の部分である。基部２１には、接点部１１のネジ用孔１１０に連通して固定用のネジ７を挿入可能な連通孔２１０が形成されている。
【００５５】
さらに、基部２１には、接点部１１における複数の回り止め用孔１４のうちのいずれかに嵌め入れられた嵌合突起部２３が形成されている。嵌合突起部２３が接点部１１の回り止め用孔１４に嵌め入れられることにより、基部２１が接点部１１に留まり、端子１と回り止め部材２とが合体する。
【００５６】
即ち、端子３において、接点部１１の回り止め用孔１４は、回り止め付加部材２を接点部１１に留める留め具として機能する。回り止め付加部材２の基部２１は、嵌合突起部２３及び回り止め用孔１４からなる嵌め合い構造によって接点部１１に留まる。
【００５７】
図３〜５が示す例では、回り止め付加部材２の基部２１には、連通孔２１０の両側の位置に起立した２つの嵌合突起部２３が形成されている。端子１に対する回り止め付加部材２の向きの変更により、嵌合突起部２３各々は、４つの回り止め用孔１４のうちのいずれか１つに選択的に嵌め入れ可能である。
【００５８】
また、図３〜５が示す例では、基部２１の嵌合突起部２３各々は、板状の金属部材に対する曲げ加工により形成されている。また、２つの嵌合突起部２３のうちの一方は、切り起こし加工により形成されている。
【００５９】
また、回り止め付加部材２の張出部２２は、端子３の接続相手に形成された回り止め用の受け部に引っ掛かることにより、端子３の連れ回りを防ぐ部分である。
【００６０】
図３〜５が示す例では、張出部２２の先端部分は、接点部１１の下面側へ垂れ下がって形成されている。以下、そのような張出部２２の先端部分のことを垂下部２２０と称する。この場合、垂下部２２０が、端子３の接続相手８の縁部もしくは穴部に引っ掛かる。
【００６１】
図５において、端子３の接続相手８及び端子３を接続相手８に固定するためのネジ７が仮想線（二点鎖線）で描かれている。図５が示す例では、端子３の接続相手８は端子台であり、張出部２２の先端の垂下部２２０は、端子台の縁部に引っ掛っている。
【００６２】
なお、張出部２２の側面が、端子３の接続相手８に形成された突起部に引っ掛かる場合もある。この場合、張出部２２の先端部が垂下部２２０である必要はない。
【００６３】
端子３が採用される場合、回り止め付加部材２の嵌合突起部２３が嵌め入れられる回り止め用孔１４が選択されることにより、接点部１１から張出部２２が張り出す方向を選択できる。
【００６４】
図４（ａ）は、回り止め付加部材２の張出部２２が接点部１１から前方へ張り出した状態で、回り止め付加部材２が接点部１１に取り付けられた状態を示す。図４（ｂ）は、回り止め付加部材２の張出部２２が接点部１１から右側方へ張り出した状態で、回り止め付加部材２が接点部１１に取り付けられた状態を示す。図４（ｃ）は、回り止め付加部材２の張出部２２が接点部１１から左側方へ張り出した状態で、回り止め付加部材２が接点部１１に取り付けられた状態を示す。
【００６５】
なお、図５は、回り止め付加部材２が、その張出部２２が接点部１１から前方へ張り出した状態で接点部１１に取り付けられたときの端子付電線１０Ａを示している。
【００６６】
端子３の採用は、接続相手８に設けられた回り止め用の受け部８２が穴部、突起部又は端子台の縁部などである場合に有効である。
【００６７】
さらに、図４が示すように、回り止め付加部材２の嵌合突起部２３の嵌め入れ先（回り止め用孔１４）の選択により、接点部１１から張出部２２が張り出す方向を選択できる。従って、端子３は、張出部２２が引っ掛かる受け部の位置が異なる複数種類の接続相手８に適用可能である。
【００６８】
＜応用例＞
次に、図６を参照しつつ、連れ回り防止構造付端子１の応用例に係る連れ回り防止構造付端子１Ａについて説明する。図６は、連れ回り防止構造付端子１Ａの平面図である。図６において、図１〜５に示される構成要素と同じ構成要素は、同じ参照符号が付されている。以下の説明において、係る連れ回り防止構造付端子１Ａのことを単に端子１Ａと称する。
【００６９】
端子１Ａは、端子１と同様に、接点部１１Ａ、芯線接続部１２及び被覆圧着部１３を備えている。また、接点部１１Ａには、固定用のネジ７を挿入可能な１つのネジ用孔１１０と、複数の回り止め用孔１４Ａとが形成されている。
【００７０】
接点部１１Ａにおいて、回り止め用孔１４Ａ各々は、ネジ用孔１１０と同心の一の円周上に等間隔で形成されている。図６が示す例では、４つの回り止め用孔１４Ａが、ネジ用孔１１０の中心を中心とする１つの円の周上に、中心角が９０度を成すピッチで形成されている。
【００７１】
端子１Ａにおいて、全ての回り止め用孔１４Ａが、外縁に開口の無い孔（欠け無し孔）である。この点が、端子１Ａにおける端子１と異なる点である。端子１Ａが採用された場合も、端子１が採用される場合と同様の効果が得られる。但し、端子１Ａの接点部１１の輪郭形状は、端子１の輪郭形状よりもやや大きくなる。
【００７２】
なお、端子３が、端子１Ａと回り止め付加部材２とが組み合わされた構造を有することも考えられる。
【００７３】
＜その他の応用例＞
端子１，１Ａにおいて、接点部１１，１１Ａにおける回り止め用孔１４，１４Ａの数が４つであるとは限らない。即ち、接点部１１，１１Ａにおいて、２つ、３つ又は５つ以上の回り止め用孔１４，１４Ａが、ネジ用孔１１０と同心の一の円周上に等間隔で形成されていることが考えられる。
【００７４】
例えば、端子１，１Ａにおいて、芯線接続部１２側に位置する１つの回り止め用孔１４，１４Ａを除く残りの３つの回り止め用孔１４，１４Ａのみが、接点部１１，１１Ａに形成されていることなどが考えられる。この場合、端子１Ａにおける回り止め付加部材２は、張出部２２側に形成された１つの嵌合突起部２３のみを有する。
【００７５】
また、端子１，１Ａにおいて、芯線接続部１２が、絶縁電線９における芯線９１の先端部に対して圧着される部分であることも考えられる。この場合、芯線接続部１２は、芯線９１の先端部を一方から支える底板部と、その底板部の両側から起立した一対のかしめ片とを有する。
【００７６】
また、端子１，１Ａにおいて、複数の回り止め用孔１４，１４Ａが、接点部１１，１１Ａにおけるネジ用孔１１０と同心の一の円周上に、中心角が９０度以外の角度を成すピッチで形成されていることも考えられる。例えば、端子１において、複数の回り止め用孔１４が、一の円１００の周上に、中心角が４５度を成すピッチで形成されていることなどが考えられる。
【００７７】
なお、本発明に係る連れ回り防止構造付端子は、各請求項に記載された発明の範囲において、以上に示された各実施形態及び応用例を自由に組み合わせること、或いは各実施形態及び応用例を適宜、変形する又は一部を省略することによって構成されることも可能である。
【符号の説明】
【００７８】
１，１Ａ，３  防止構造付端子（端子）
１０，１０Ａ  端子付電線
１００  ネジ用孔と同心の円
１１，１１Ａ  接点部
１１０  ネジ用孔
１２  芯線接続部
１３  被覆圧着部
１３１  底板部
１３２  かしめ片
１４，１４Ａ  回り止め用孔
１４ｘ  欠け状孔
１４ｙ  欠け無し孔
２  回り止め付加部材
２１  基部
２１０  連通孔
２２  張出部
２２０  垂下部
２３  嵌合突起部
７  固定用のネジ
８  端子の接続相手
８１  接続相手のネジ穴
８２  接続相手の受け部
９  絶縁電線
９１  芯線
９２  絶縁被覆
【図１】
2015095381.tif 000003
【図２】
2015095381.tif 000004
【図３】
2015095381.tif 000005
【図４】
2015095381.tif 000006
【図５】
2015095381.tif 000007
【図６】
2015095381.tif 000008